(57)【要約】【課題】遊技機に内装する方式の遊技機用球磨き装置について、遊技機における設計の自由度を損なうことなく優れたクリーニング機能を発揮可能とする。【解決手段】パチンコ球１００を直線的に搬送する球搬送路１０と、円柱部材の外周面に螺旋状の球送り溝３００が形成されてなりその回転軸線が球搬送路１０に沿うように並列配置されて球搬送路１０のパチンコ球１００を搬送するモータ駆動式のスパイラル搬送軸３０と、球搬送路１０の途中でパチンコ球１００が接するクリーニング面４１を露出して配置されたクリーニング部材４Ａとを備えた球磨き装置１Ａであって、その球搬送路１０を縦向きの配置として、球搬送路１０に入りその一部を球送り溝３００に没入したパチンコ球１００を、スパイラル搬送軸３０の回動で縦方向に搬送しながらクリーニング面４１上で摺動させてクリーニングを行うものとした。【選択図】図３
2015012917.tif 000002
【特許請求の範囲】
【請求項１】
パチンコ球を使用する遊技機内の所定位置に配設され、パチンコ球を直線的に搬送する球搬送路と、円柱部材の外周面に螺旋状の球送り溝が形成されてなりその回転軸線が前記球搬送路に沿うように並列配置されて前記球搬送路のパチンコ球を搬送するモータ駆動式のスパイラル搬送軸と、前記球搬送路の途中位置でパチンコ球が接するクリーニング面を露出して配置されたクリーニング部材とを備えた球磨き装置において、
前記球搬送路は縦向きの配置とされており、前記球搬送路に入りその一部を前記球送り溝に没入したパチンコ球を、前記スパイラル搬送軸の回動により縦方向に搬送しながら前記クリーニング面上で摺動させてクリーニングを行う、ことを特徴とする遊技機用球磨き装置。
【請求項２】
前記スパイラル搬送軸の縦方向所定位置では、パチンコ球に当接した状態で前記スパイラル搬送軸が回動することで前記パチンコ球との間で所定レベル以上の摩擦力を生じる摩擦手段が前記球送り溝の底部側に設けられており、前記スパイラル搬送軸の回動による搬送時に、前記摩擦手段がパチンコ球の側面に当接しながら前記パチンコ球に横回転を与える、ことを特徴とする請求項１に記載した遊技機用球磨き装置。
【請求項３】
前記摩擦手段は、前記球送り溝の底部側で縦向きの突条からなるリブが周方向所定間隔で複数条形成されてなるものである、ことを特徴とする請求項２に記載した遊技機用球磨き装置。
【請求項４】
前記球搬送路は、パチンコ球を上昇させる球搬送路と下降させる球搬送路とが、その上端側又は下端側で接続された状態で縦向きの隔壁を介して並列してなるものとされ、前記隔壁の少なくとも一部は平板状のクリーニング部材で構成されており、前記隔壁を挟んで縦方向に往復するパチンコ球が前記クリーニング部材の表裏両面でクリーニングされる、ことを特徴とする請求項１，２または３に記載した遊技機用球磨き装置。
【請求項５】
前記上下方向の球搬送路には、互いに逆向きに搬送する前記スパイラル搬送軸が各々併設されている、ことを特徴とする請求項４に記載した遊技機用球磨き装置。
【請求項６】
前記上下方向の球搬送路は、上昇させる球搬送路が前記スパイラル搬送軸を併設されて能動的に搬送を行い、これに続く下降させる球搬送路がパチンコ球の自重又は／及び後続するパチンコ球の送り出し圧力により受動的に搬送を行うものとされている、ことを特徴とする請求項４に記載した遊技機用球磨き装置。
【請求項７】
前記クリーニング部材は、平板状とされて装置本体に外部から着脱可能とされているとともにその表裏両面が各々前記クリーニング面として使用可能とされている、ことを特徴とする請求項１，２，３，４，５または６に記載した遊技機用球磨き装置。
【発明の詳細な説明】
【技術分野】
【０００１】
本発明は、遊技機用球磨き装置に関し、殊に、パチンコ球を使用する遊技機に内装され、遊技に使用して汚れたパチンコ球を綺麗にするための球磨き装置に関する。
【背景技術】
【０００２】
パチンコ台等の遊技機においては、遊技に使用したパチンコ球の表面に手の油脂やホール内の埃・タバコの煙成分、或いは機器由来の油・粉塵などの汚れが付着しやすいものであるが、このような汚れによりパチンコ球の循環経路を詰まらせたりパチンコ球の挙動に影響を与えたりすることが知られている。また、汚れたパチンコ球を使用し続けると、遊技機の盤面を汚してその美観を悪化させてしまうことにも繋がってしまう。
【０００３】
そのため、複数台の遊技機から汚れたパチンコ球を１カ所に集めて、一台の球磨き装置で汚れを落としてから各遊技機に環流させることが行われている。しかし、このように各遊技機から離れた位置にある球磨き装置との間でパチンコ球を往復させるとともに、専用の球磨き装置を配置して運転するには、余分な設置スペースと多大な駆動用電力を要するため、遊技場のコストパフォーマンスを悪化させる要因となりやすい。
【０００４】
そこで、例えば特開２００７−２８９２４６号公報に記載されているように、遊技機内の球通路所定位置にパチンコ球を磨いて綺麗にする球磨き装置を各々内装したものも普及するようになった。このように、遊技機が各々小型の球磨き装置を備えたことにより、大型の球磨き装置を用いて１カ所でクリーニングする場合と比べて、設置スペースや電力コストを大幅に削減することができる。
【０００５】
ところが、このような遊技機用球磨き装置は、横向きの球搬送路にクリーニング部材を併設したクリーニング経路を有しており、遊技機の内部において左右方向に比較的大きなスペースを占めることから、遊技機における設計上の自由度を損ないやすいという問題がある。そのため、特開２０１１−１０４４３８号公報に記載されているように、球搬送路の一部を構成するクリーニング経路を斜め上向きにしてその左右方向の設置スペースを縮小したり、クリーニング経路自体の距離を短くしたりすることも行われている。
【０００６】
しかしながら、前述のようにクリーニング経路を斜め上向きにした場合でも、設置スペースの縮小は未だ不十分であることに加え、斜めになることでかえって他の部品と干渉しやすくなるケースも生じる。また、クリーニング経路を短くして装置のコンパクト化を図った場合は、一回あたりのパチンコ球のクリーニング面積・クリーニング量が縮小するため、クリーニング機能の低下を招く結果となってしまう。
【先行技術文献】
【特許文献】
【０００７】
【特許文献１】特開２００７−２８９２４６号公報
【特許文献２】特開２０１１−１０４４３８号公報
【発明の概要】
【発明が解決しようとする課題】
【０００８】
本発明は、上記のような問題を解決しようとするものであり、個々の遊技機に内装する方式の遊技機用球磨き装置について、遊技機における設計の自由度を損なうことなく優れたクリーニング機能を発揮可能とすることを課題とする。
【課題を解決するための手段】
【０００９】
そこで、本発明は、パチンコ球を使用する遊技機内の所定位置に配設され、パチンコ球を直線的に搬送する球搬送路と、円柱部材の外周面に螺旋状の球送り溝が形成されてなりその回転軸線が前記球搬送路に沿うように並列配置されて前記球搬送路のパチンコ球を搬送するモータ駆動式のスパイラル搬送軸と、前記球搬送路の途中位置でパチンコ球が接するクリーニング面を露出して配置されたクリーニング部材とを備えた球磨き装置において、前記球搬送路は縦向きの配置とされており、前記球搬送路に入りその一部を前記球送り溝に没入したパチンコ球を、前記スパイラル搬送軸の回動により縦方向に搬送しながら前記クリーニング面上で摺動させてクリーニングを行うことを特徴とするものとした。
【００１０】
このように、球搬送路に入ったパチンコ球をこれに併設したスパイラル搬送軸で縦向きに搬送しながら途中に配置したクリーニング部材でクリーニングする方式としたことで、クリーニング機能の低下を招くことなく球磨き装置のサイズを横方向にコンパクトにできるため、遊技機の設計上の自由度を確保しやすいものとなる。
【００１１】
また、この遊技機用球磨き装置において、そのスパイラル搬送軸の縦方向所定位置では、パチンコ球に当接した状態でスパイラル搬送軸が回動することでパチンコ球との間で所定レベル以上の摩擦力を生じる摩擦手段が球送り溝の底部側に設けられており、スパイラル搬送軸の回動による搬送時に、前記摩擦手段がパチンコ球の側面に当接しながらパチンコ球に横回転を与えることを特徴としたものとすれば、搬送中にパチンコ球の位相が変更されて、その表面におけるクリーニング部位の偏りを解消できるため、短いクリーニング経路であっても優れたクリーニング機能を発揮しやすいものとなる。
【００１２】
この場合、その摩擦手段は、球送り溝の底部側で縦向きの突条からなるリブが周方向所定間隔で複数条形成されてなるものである、ことを特徴としたものとすれば、製造コストの高騰を招くことなく機能性に優れた摩擦手段を容易に設けることが可能となる。
【００１３】
さらに、上述した遊技機用球磨き装置において、前記球搬送路は、パチンコ球を上昇させる球搬送路と下降させる球搬送路とが、その上端側又は下端側で接続された状態で縦向きの隔壁を介して並列してなるものとされ、前記隔壁の少なくとも一部は平板状のクリーニング部材で構成されており、前記隔壁を挟んで縦方向に往復するパチンコ球がクリーニング部材の表裏両面でクリーニングされることを特徴としたものとすれば、上下方向にサイズを拡大することなく優れたクリーニング機能を発揮しながら、そのクリーニング面を効率的に使用するものとなる。
【００１４】
この場合、その上下方向の球搬送路には、互いに逆向きに搬送する前記スパイラル搬送軸が各々併設されていることを特徴としたものとすれば、パチンコ球の上昇動作と下降動作の両方が能動的なものとなって、いずれの球搬送路でもクリーニング部材に対する所定レベル以上の押圧力を確保しながら、球詰まりのトラブルを回避しやすいものとなる。
【００１５】
或いは、前述した球搬送路が縦方向に往復する遊技機用球磨き装置において、その上下方向の球搬送路は、上昇させる球搬送路がスパイラル搬送軸を併設されて能動的に搬送を行い、これに続く下降させる球搬送路がパチンコ球の自重又は／及び後続するパチンコ球の送り出し圧力により受動的に搬送を行うものとされている、ことを特徴としたものとすれば、１本のスパイラル搬送軸だけで上昇・下降の両動作を行えることから、装置の構成が簡略化されて２本の球搬送路を有していても全体としてコンパクトに収まりやすいものとなる。
【００１６】
さらにまた、上述した遊技機用球磨き装置において、そのクリーニング部材は、平板状とされて装置本体に外部から着脱可能とされているとともにその表裏両面が各々クリーニング面として使用可能とされていることを特徴としたものとすれば、着脱作業が容易になることで球磨き装置のメンテナンスの手間を大きく軽減可能なものとなる。
【発明の効果】
【００１７】
パチンコ球を縦向きの球搬送路に併設したスパイラル搬送軸で縦向きに搬送しながら途中に配置したクリーニング部材でクリーニングするものとした本発明によると、遊技機における設計の自由度を損なうことなく優れたクリーニング機能を発揮できるものである。
【図面の簡単な説明】
【００１８】
【図１】本発明における第１の実施の形態である遊技機用球磨き装置の斜視図である。
【図２】図１の遊技機用球磨き装置の球搬送路の扉を外した状態を示す斜視図である。
【図３】図１の遊技機用球磨き装置のクリーニング作業中に球搬送路の外扉を開いてクリーニング部材を外した状態を示す斜視図である。
【図４】図３の遊技機用球磨き装置のスパイラル搬送軸の機能を説明するために拡大した部分図である。
【図５】本発明における第２の実施の形態である遊技機用球磨き装置の斜視縦断面図である。
【図６】図５の遊技機用球磨き装置で使用するクリーニング部材の拡大した分解斜視図である。
【図７】図６のクリーニング部材の機能を説明するために拡大した斜視図である。
【図８】本発明における第３の実施の形態である遊技機用球磨き装置の斜視図である。
【図９】図８の遊技機用球磨き装置の縦断面図である。
【図１０】図８の遊技機用球磨き装置からクリーニング部材を引き抜いた状態を示す斜視図である。
【図１１】図８の遊技機用球磨き装置の応用例を示す斜視図である。
【図１２】図１２の遊技機用球磨き装置を裏側から見た斜視図である。
【発明を実施するための形態】
【００１９】
以下に、図面を参照しながら本発明を実施するための形態を説明する。尚、  本発明において、球磨きとは球のクリーニングを意味し、縦向き（縦方向）  とは鉛直方向を意味するものとする。
【００２０】
図１は、本発明における第１の実施の形態である遊技機用球磨き装置１Ａを示している。この遊技機用球磨き装置１Ａは、パチンコ台内部における球通路の所定位置に配置されるものであり、樹脂製の本体ケーシング２Ａの上部側に、パチンコ球を導入する横向きの導入路５ａ、下部側にパチンコ球を排出する横向きの送出路５ｂを有し、その間にパチンコ球を下方向に直線的に搬送するための球搬送路１０を有している。
【００２１】
このパチンコ球を下向きに搬送する球搬送路１０は、本体ケーシング２Ａ外面に開口した窓１０１の位置で開放部を有しているが、この窓１０１が開閉可能で着脱可能な扉１１０で閉鎖されている。そして、この扉１１０及び後述するクリーニング部材４Ａを外した状態の図２に示すように、円柱部材の外周面に螺旋状の球送り溝３００が形成されてなるスパイラル搬送軸３０が、その回転軸線を球搬送路１０に沿うように並列配置されており、球搬送路１０内のパチンコ球をモータ駆動で搬送するようになっている。
【００２２】
このスパイラル搬送軸３０は、本体ケーシング２Ａ内でその上端部に連結したギヤ７１とこれに噛合したギヤ７０を介して図示しない電動モータにより軸周りに回動するようになっており、球搬送路１０に入ってその一部を球送り溝３００に没入したパチンコ球を下向きに搬送する機能を備えている。そして、このようにスパイラル搬送軸３０と球搬送路１０とが縦向きに並列配置されたことにより、球搬送路１０中で球詰まりを起こしにくくなることに加え、これを有した遊技機用球磨き装置１Ａのサイズが横方向にコンパクトに収まっている点を特徴としている。
【００２３】
図３は、この遊技機用球磨き装置１Ａが作動しているクリーニング作業時に、扉１１０の外扉１１０ａを開いて、格子状の内扉１１０ｂとの間に挟装したクリーニング部材４Ａを外した状態を示している。このクリーニング部材４Ａは、球搬送路１０の途中位置でパチンコ球１００が接するクリーニング面４１を露出するように配置され、スパイラル搬送軸３０の回動によりパチンコ球１００を下降させながらクリーニング面４１上で摺動させることにより、パチンコ球１００表面の汚れを落とす機能を発揮するものである。
【００２４】
このクリーニング部材４Ａとしては様々な素材が想定されるが、変形能に優れながら汚れを吸着・保持しやすいものが好適であり、表面吸着能に優れた繊維による不織布や軟質の発泡樹脂を図のように薄い平板状に形成したものが推奨される。これにより、湾曲した内扉１１０ｂ外面に密着しながら外扉１１０ａ内面に形成した突部１１１に押圧されて、内扉１１０ｂの格子状の開口１１２から内側に向かって部分的に突出した状態となるため、パチンコ球１００表面にクリーニング面４１を密着させやすいものとなる。
【００２５】
尚、このクリーニング部材４Ａは、扉１１０を構成している外扉１１０ａを開けることで外部から着脱操作可能となるが、これを裏返して装着すればクリーニング面４１の裏側もクリーニング面４２として使用できることから、その交換作業が容易であることに加え表裏両面使用した場合の維持コストの低廉化も期待できる。
【００２６】
図４は、スパイラル搬送軸３０の機能を説明するために部分的に拡大して示したものである。このスパイラル搬送軸３０は、その縦方向中途位置における球送り溝３００の底部側に、パチンコ球１００に当接した状態でスパイラル搬送軸３０が回動することでパチンコ球１００との間で所定レベル以上の摩擦力を生じる摩擦手段として、縦向きの突条からなるリブ３００ａ，３００ｂ，３００ｃ，３００ｄ・・が周方向所定間隔で複数条設けられている。そのため、スパイラル搬送軸３０が回動する搬送時に、この摩擦手段がパチンコ球１００の側面に当接して横回転を与えるようになっており、この点も本実施の形態の特徴部分となっている。
【００２７】
即ち、スパイラル搬送軸３０に上述した摩擦手段がない場合は、パチンコ球１００は縦向きの球搬送路１０で搬送する際にほぼ無回転のまま移動し、クリーニング面４１上で摺動する際に僅かな縦向きの回転が加わるだけであるため、パチンコ球１００表面におけるクリーニング部位に偏りが生じてしまい、効率的なクリーニングという観点においては不十分であった。
【００２８】
これに対し、前述のような摩擦手段を設けたことにより搬送中にパチンコ球１００に横回転が加わるため、その位相が変更されて前述した偏りを解消することができ、且つ、クリーニング部材４Ａに接する位置で横回転を与えることで、パチンコ球１００表面におけるクリーニング面積が格段に増加するため、短いクリーニング経路であっても優れたクリーニング機能を発揮できるようになる。
【００２９】
図５は、本発明における第２の実施の形態である遊技機用球磨き装置１Ｂを縦断面図で示したものである。この遊技機用球磨き装置１Ｂは、パチンコ球１００を上昇させる球搬送路１１と下降させる球搬送路１２とが、上端側で接続された状態で縦向きの隔壁２０を介し並列してなるものであり、パチンコ球１００の導入路５ｃと送出路５ｄとがほぼ同じ高さであるため、段差のない球通路中であってもそのまま配設できることに加え、前述の遊技機用球磨き装置１Ａにおける球搬送路１０の約２倍の長さの球搬送路を備えている点を特徴としている。
【００３０】
また、遊技機用球磨き装置１Ｂは、パチンコ球１００を上昇させる方の球搬送路１１がスパイラル搬送軸３０を併設されて能動的な搬送を行い、下降させる方の球搬送路１２がスパイラル搬送軸３０を有さずにパチンコ球１００の自重又は／及び後続するパチンコ球１００の送り出し圧力により受動的に搬送を行う方式を採用している。
【００３１】
そして、その隔壁２０の一部が平板状のクリーニング部材４Ｂで構成されており、その一方のクリーニング面４４が球搬送路１１側に、他方のクリーニング面４３が球搬送路１２側に露出しており、隔壁２０を介して縦方向に往復動作するパチンコ球１００が、クリーニング部材４Ｂの表裏両面でクリーニングされる点も特徴となっている。
【００３２】
そのため、前述のクリーニング部材４Ａと縦方向同サイズのクリーニング部材４Ｂであっても、これによるクリーニング経路は２倍になることから、有効且つ効率的なクリーニング作業の実現を可能としている。また、１本のスパイラル搬送軸３０だけで上昇・下降の両動作を行えることから、装置の過剰な大型化を招くことなくクリーニング機能を格段に向上させたものとなっている。
【００３３】
さらに、このクリーニング部材４Ｂは、外部からの抜き差しにより容易に着脱操作を行えるようになっており、メンテナンスに要する手間の低減も実現可能としている。尚、隔壁２０の下方には、クリーニング部材４Ｂに付着しないでパチンコ球１００から脱落した埃等のゴミ類を受け止めるための引き出し式のゴミ箱２２が配設されている。
【００３４】
図６は、前述したクリーニング部材４Ｂの詳細な構成を分解図で示している。このクリーニング部材４Ｂは、軟質で表面密着性に優れた発泡樹脂（スポンジ）等の素材をやや厚めの平板状に形成してなるクリーニング体４０を、方形の枠中に縦方向の桟を平行に２本渡した枠体４０ａ，４０ｂで前後から挟み込んでなるものであり、図７に示すように、その表裏両面には桟による２本の縦筋が各々形成されて、パチンコ球１００の球面形状に追従して変形しやすくなっており、平面のまま変形しない硬質のクリーニング面でパチンコ球１００の球面に接する場合と比べて、大きな密着面積を実現することができる。
【００３５】
図８は、本発明における第３の実施の形態である遊技機用球磨き装置１Ｃを示している。この実施の形態においても、前述の遊技機用球磨き装置１Ｂと同様に２本の縦向きの球搬送路１３，１４を並列して有しており、これらがほぼ同じ高さの導入路５ｅと送出路５ｆの間で下降と上昇による縦向きの往復路を形成している。また、並列した球搬送路１３，１４の間には隔壁２１を有しながらその下端側で横向きに接続されており、且つ、隔壁２１の一部がクリーニング部材４Ｂで構成されている。
【００３６】
この遊技機用球磨き装置１Ｃでは、図９の縦断面図に示すように、２本のスパイラル搬送軸３０，３０が、ギヤ７０，７２，７３の作用で互いに逆向きに回動するように、間に球搬送路１３，１４を挟んだ状態で並列配置されている。また、その球搬送路１３，１４の下端側が横向きの球搬送路１５で接続されて全体として略Ｕ字状の球搬送路を形成しているが、導入したパチンコ球１００を下降させる球搬送路１３、上昇させる球搬送路１４の両方が、能動的に搬送を行うようになっている点を特徴としている。そのため、いずれの球搬送路１３，１４においても、間に挟んだクリーニング部材４Ｂのクリーニング面４３，４４に対する適度な押圧力を確保しながら、球詰まりのトラブルを起こしにくいものとしている。
【００３７】
図１０は、前述した遊技機用球磨き装置１Ｃにおいて、クリーニング部材４Ｂを引き抜いた状態を示している。この遊技機用球磨き装置１Ｃは、本体ケーシング２Ｃのほぼ中央位置に縦向きスリット状の挿入孔２５が開口しており、これを介してクリーニング部材４Ｂを外部から挿脱可能としている。尚、この挿入孔２５の左右幅は、クリーニング部材４Ｂの厚さよりも狭いものの、クリーニング体４０が軟質の発泡樹脂で出来ていることで容易に変形するため、難なく挿脱操作を行えるようになっている。
【００３８】
図１１は、前述した遊技機用球磨き装置１Ｃの応用例としての遊技機用球磨き装置１Ｄを示している。この遊技機用球磨き装置１Ｄは、遊技機用球磨き装置１Ｃとほぼ同様の構成を有しているが、全体が平板状とされたクリーニング部材４Ｂの代わりに帯状のシート材４５を巻いたロール体からなるクリーニング部材４Ｃを使用する点を特徴としたものである。
【００３９】
即ち、本体ケーシング２Ｄの表側に開口した図示しない挿入孔２５の上下位置で、上下のアーム２６（下側のアームは見えず）により回転可能に支持されたロール体のクリーニング部材４Ｃから、図１２に示すように裏面の挿入孔２４を通って延出した帯状のシート材４５の先端側を、上下のアーム２８，２９で回転可能に支持した軸４９で順次巻き取るようになっている点を特徴としている。
【００４０】
この応用例においても、クリーニング部材４Ｃから延出されながらその一部を構成しているシート材４５は、本体ケーシング２Ｄの内部に入り、隔壁を介し並列した２本の縦向きの球搬送路の間で平板状に支持され、その表裏両面を各球搬送路に露出してクリーニング面を構成しながら裏側まで貫通しており、上下方向に搬送されるパチンコ球１００がそのクリーニング面に各々摺接してクリーニングされる方式であり、クリーニングに使用して汚れたクリーニング面を順次更新可能なものとしている。
【００４１】
尚、このように、シート材４５が本体ケーシング２Ｄを裏側まで貫通する構成とした関係で、図示しないモータは中央位置からずらして配置されており、ギヤ７０の配置も移動したものとなっている。また、図ではシート材４５の巻き取り動作は手動式の場合を示しているが、所定の動力により所定の間隔または所定の速度で自動的に巻き取る構成としておけば、メンテナンスの手間を大幅に削減することが可能となる。
【００４２】
一方、上述した実施の形態における平板状のクリーニング部材４Ａ，４Ｂについて、不織布や発泡樹脂からなるクリーニング体を、樹脂製の蓋体や枠体又は芯材とともにインサート成形により一体的に成形して作成してもよく、或いは、粉状または短繊維状のクリーニング体構成要素を所定の樹脂に練り込みながらこれらを表面に露出させるようにして成形して作成してもよい。また、これと同様にスパイラル搬送軸を成形してスパイラル搬送軸自体がクリーニング部材として機能する方式とすれば、一層クリーニング機能に優れたものとなる。
【００４３】
以上、述べたように、個々の遊技機に内装する方式の遊技機用球磨き装置について、本発明により遊技機における設計の自由度を確保しながら優れたクリーニング機能を発揮できるようになった。
【符号の説明】
【００４４】
１Ａ，１Ｂ，１Ｃ，１Ｄ  遊技機用球磨き装置、２Ａ，２Ｂ，２Ｃ，２Ｄ  本体ケーシング、４Ａ，４Ｂ，４Ｃ  クリーニング部材、１０，１１，１３，１４，１５  球搬送路、２０，２１  隔壁、３０  スパイラル搬送軸、４０  クリーニング体、４１，４２，４３，４４  クリーニング面、４５  シート材、１００  パチンコ球、３００  球送り溝、３００ａ，３００ｂ，３００ｃ，３００ｄ  リブ
【図１】
2015012917.tif 000003
【図２】
2015012917.tif 000004
【図３】
2015012917.tif 000005
【図４】
2015012917.tif 000006
【図５】
2015012917.tif 000007
【図６】
2015012917.tif 000008
【図７】
2015012917.tif 000009
【図８】
2015012917.tif 000010
【図９】
2015012917.tif 000011
【図１０】
2015012917.tif 000012
【図１１】
2015012917.tif 000013
【図１２】
2015012917.tif 000014